(57)【要約】      （修正有）【課題】従来、鉄筋を使用する建築現場において、ボルト・ナットの締付けが適正かどうかを目視判断するために締付け前に行っていた手作業によるラインマーキング作業を、熟練を要することなく十分な正確性を以て行うことを可能にし、作業の作業性を向上させ得るボルト・ナット用ラインマーカーを提供する。【解決手段】ペン先２が、その先端部に平坦な傾斜面である筆記面３を有するものであることを特徴とするボルト・ナット用ラインマーカーである。筆記面３は、ペン先２の先端から傾斜して側面に至る卵形状とされ、あるいは、筆記面は、ペン先の側面から傾斜して反対側側面に至る楕円形状とされる。【選択図】図１
0003134710.tif 000002
【実用新案登録請求の範囲】
【請求項１】
ペン先が、その先端部に平坦な傾斜面である筆記面を有するものであることを特徴とするボルト・ナット用ラインマーカー。
【請求項２】
前記筆記面は、ペン先の先端から傾斜して側面に至る卵形状である請求項１に記載のボルト・ナット用ラインマーカー。
【請求項３】
前記筆記面の傾斜角度は、前記ペン先の中心を通る面に対して約２３°である請求項２に記載のボルト・ナット用ラインマーカー。
【請求項４】
前記筆記面は、ペン先の側面から傾斜して反対側側面に至る楕円形状である請求項１に記載のボルト・ナット用ラインマーカー。
【考案の詳細な説明】
【技術分野】
【０００１】
本考案は、ボルト・ナット用ラインマーカー、より詳細には、ボルト接合により鉄骨部材を互いに接合する際に、本締めが適正に行われたことを目視検査可能にするため、ボルト・ナットを一次締めした状態でボルトのピンテールからナット、ワッシャ及び接合部鋼材表面にかけて一連の線状マークを付すためのボルト・ナット用ラインマーカーに関するものである。
【背景技術】
【０００２】
鉄骨の製作は、工場内で主に溶接により部分製作され、現場においてボルト接合により組み立てられる。一般に鉄骨のボルト接合には、トルシア型高力ボルトや六角ボルトが使用されているが、特にトルシア型高力ボルトの場合の締結強度は、ボルト断面の剪断強度で担うのではなく、鋼材面同士の摩擦力で担う。そのため、締結部は均一に密着するように締め付けられる必要がある。
【０００３】
この均一締め付けを可能にするために、一次締めした後に、ボルトのピンテール１１からナット１２、ワッシャ１３及び接合部鋼材表面１４にかけて一連のマーキングライン１５を施しておき（図３、図４参照）、その後に行う本締め後にマーキング位置のズレを目視し、そのズレが規定された角度内に収まっているかどうかを見ることにより、締結部が均一に締め付けられているかどうかの判断がなされ、また、そのようにマーキングライン１５を施しておくことによって、同時に、締め忘れや共回りの有無の確認をすることもできる。
【０００４】
マーキング対象が六角形状のものの場合、その角１６を接点としてマーキングを行う必要がある。即ち、鋼材１４、ワッシャ１３、ナット１２、ピンテール１１と１本のマーキングライン１５を引き、本締め終了後に、鋼材のマーキングライン１５とワッシャ１３、ナット１２のマーキングライン１５のズレ角度を確認するが、その場合、ナットの角を２個乗り越えた状態で止まっていればＯＫ（本締め前のラインから１２０°回転した位置）という基準から（六角形の場合、各角間の角度は６０°）、目視検査で角度を確認できるところと言えば、角１６しかないからである。
【０００５】
ところで、この線状マーキングは一般に、ペン先が丸い砲弾タイプのマーカーを用いて手作業で行われているが、その場合は半球状のペン先を角に当てがうためにブレやすく、正確なマーキングを行うことは容易ではなく、作業に緊張を強いられるので、数多くのマーキング作業を行う場合はかなりのストレスとなり、作業性も低下する。
【特許文献１】実用新案登録第３１２６４８１号公報
【特許文献２】特開２００２−３５５７７７号公報
【考案の開示】
【考案が解決しようとする課題】
【０００６】
上述したように、従来、鉄筋を使用する建築現場において、ボルト・ナットの締付けが適正かどうかを目視判断するために締付け前に行っていた手作業によるラインマーキング作業は、容易ではなく、作業性が悪かった。本発明は、かかる背景の下になされたもので、上記手作業によるラインマーキング作業を、熟練を要することなく十分な正確性を以て行うことを可能にし、該作業の作業性を向上させ得るボルト・ナット用ラインマーカーを提供することを課題とする。
【課題を解決するための手段】
【０００７】
上記課題を解決するための請求項１に記載の考案は、ペン先が、その先端部に平坦な傾斜面である筆記面を有するものであることを特徴とするボルト・ナット用ラインマーカーである。
【０００８】
前記筆記面は、ペン先の先端から傾斜して側面に至る卵形状とされ、あるいは、前記筆記面は、ペン先の側面から傾斜して反対側側面に至る楕円形状とされる。また、好ましくは、前記筆記面の傾斜角度は、前記ペン先の中心を通る面に対して約２３°である。
【考案の効果】
【０００９】
本考案に係るボルト・ナット用ラインマーカーは上記のとおりであって、ペン先がその先端部に平坦で傾斜する筆記面を有するので、ナットの角部等の被筆記部に対して、広い面積の筆記面を安定した状態にて当てがいやすく、ラインマーキングが容易であって正確に行うことが可能となり、以てラインマーキング作業の作業性を向上させ得る効果がある。
【考案を実施するための最良の形態】
【００１０】
本考案を実施するための最良の形態について、添付図面に依拠して説明する。本考案に係るボルト・ナット用ラインマーカー１は、ペン先２が、その先端部に、傾斜状態の平坦な筆記面３を有することを特徴とする。
【００１１】
筆記面３は、ペン先２の先端から傾斜して側面に至る、換言すれば、従来の砲弾型ペン先を、先端を通る傾斜面でカットしてなる卵形状のものであり（図１参照）、あるいは、筆記面３は、ペン先２の側面から傾斜して反対側側面に至る、換言すれば、従来の砲弾型ペン先を斜めにカットしてなる楕円形状のものである（図２参照）。特に前者の場合、筆記面３の傾斜面度は、ペン先２の中心軸を通る平面に対して約２３°であることが好ましい。その角度が、最も無理なく正確なライン引きを行い得ると考えられる。また、先端部に肉厚がある前者の場合の方が、バラケ等が生じにくく、強度上有利である。
【００１２】
言うまでもなく、従来の砲弾型ペン先の場合は、ボルトやナット等の被筆記部に当接する部分、即ち、筆記に携わる部分は半球面状であってその面積は比較的小さく、被筆記部に対してブレやすい。
【００１３】
これに対して本考案における傾斜面である筆記面３の場合は、筆記に携わる部分が平坦で面積も広いので、当然のことながら、被筆記部に対して安定した状態にて当てがいやすく、筆記も容易である。即ち、被筆記部が平坦で広い筆記面３のどの部分に当たっても筆記が可能で、しかも線幅は細くシャープなものとなる。
【００１４】
本考案においてペン先に平坦な筆記面３を設けることの意味合いは、上記の他に、平坦な筆記面３をピンテール１１の方向に向けることで、容易にナット１２の角１６への位置合わせができる点（いわば照準器効果）を挙げることができる。この照準器効果によって、作業性の向上が促進される。
【００１５】
この考案をある程度詳細にその最も好ましい実施形態について説明してきたが、この公安の精神と範囲に反することなしに広範に異なる実施形態を構成することができることは明白なので、この考案は添付請求の範囲において限定した以外はその特定の実施形態に制約されるものではない。
【図面の簡単な説明】
【００１６】
【図１】本考案に係るボルト・ナット用ラインマーカーにおけるペン先の形状例を示す図である。
【図２】本考案に係るボルト・ナット用ラインマーカーにおけるペン先の他の形状例を示す図である。
【図３】本考案に係るボルト・ナット用ラインマーカーの使用例を示す図である。
【図４】マーキングラインを示す図である。
【符号の説明】
【００１７】
１    ボルト・ナット用ラインマーカー
２    ペン先
３    筆記面
１１    ピンテール
１２    ナット
１３    ワッシャ
１４    鋼材
１５    マーキングライン
１６    角
【図１】
0003134710.tif 000003
【図２】
0003134710.tif 000004
【図３】
0003134710.tif 000005
【図４】
0003134710.tif 000006